(57)【要約】【課題】ばね部材を改良して、硬さを少なくとも段階的に調節することができ、しかも、経済的な製作を保証しようとする。【解決手段】弾性的な補助体が、ばね部材（１）内で該ばね部材の硬度を変えるための回転可能な支持体（１０）として形成されており、該支持体の、フットプレート（２）の内面に被せ嵌められた支持リング（１１）を備えたフット部分に、最高でもばね部材（１）のばねアーム（３）の湾曲に、該ばねアーム（３）の設けられているとおりに適合された支持アーム（１２）が取り付けられており、これらの支持アーム（１２）が、各支持アーム（１２）がそれぞれ１本のばねアーム（３）と整合するか又は互い違いになるようにもたらされ且つばね部材（１）の硬さに影響を及ぼすために前記ばねアームと協働するように配置されているようにした。【選択図】　　　図１
2004065963.tif 000002
【特許請求の範囲】
【請求項１】
座面又は横臥面用ばね部材（１）であって、担体に固定可能なフットプレート（２）を有しており、該フットプレートに少なくとも２つの外向きのばねアーム（３）が支持されており、これらのばねアームの自由端部（３．１）が支持皿（５）と協働するようになっており、フットプレート（２）と支持皿（５）との間に弾性的な補助体が挿入されている形式のものにおいて、
弾性的な補助体が、ばね部材（１）内で該ばね部材の硬度を変えるための回転可能な支持体（１０）として形成されており、該支持体の、フットプレート（２）の内面に被せ嵌められた支持リング（１１）を備えたフット部分に、最高でもばね部材（１）のばねアーム（３）の湾曲に、該ばねアーム（３）の設けられているとおりに適合された支持アーム（１２）が取り付けられており、これらの支持アーム（１２）が、各支持アーム（１２）がそれぞれ１本のばねアーム（３）と整合するか又は互い違いになるようにもたらされ且つばね部材（１）の硬さに影響を及ぼすために前記ばねアームと協働するように配置されていることを特徴とする、ベッド用ばね部材。
【請求項２】
支持アーム（１２）が、支持リング（１１）として形成されたフット部分から外側に向かって出発してばね部材（１）の中心軸線に向けられた端部アーム（１３）に移行しており、これらの端部アームの自由端部（１３．１）が支持ディスク（１４）で終わっている、請求項１記載のばね部材。
【請求項３】
支持ディスク（１４）が、中心開口（１５）及び被せ嵌められたディスクアタッチメント（２０）を有しており、該ディスクアタッチメントが、前記中心開口（１５）に係合する中心ピン（２１）を以て支持ディスク（１４）に回転可能に被せ嵌められており、しかも、ディスクアタッチメント（２０）が、終端突起（２３）の設けられた、終端面（５．１）及びこれらの終端面を結合する中間部材（６）から形成された支持皿（５）の対応する開口（８）に係合する突出したアーム（２２）を有しており、これらの突出したアーム（２２）の数が、終端面（３．２）の設けられたばね部材（１）のばねアーム（３）の数に等しい、請求項１又は２記載のばね部材。
【請求項４】
支持体（１０）の支持アーム（１２）の端部アーム（１３）の自由端部（１３．１）が、直接又は間接的にばね部材（１）の支持皿（５）と作用結合している、請求項１から３までのいずれか１項記載のばね部材。
【請求項５】
支持体（１０）がばね部材（１）内で段階的に回転可能であり、これにより、一方の極端位置において各支持アーム（１２）がそれぞれ対応するばねアーム（３）と整合し且つ他方の極端位置において各支持アーム（１２）がそれぞればねアーム（３）に対して互い違いに位置するようになっており、支持体（１０）の少なくとも両極端位置がばね部材（１）に対して調節可能であり且つ係止手段によって調節可能である、請求項１から４までのいずれか１項記載のばね部材。
【請求項６】
支持体（１０）の支持リング（１１）とばね部材（１）のフットプレート（２）との間、又は支持体（１０）の支持ディスク（１４）とばね部材（１）の支持皿との間、又は支持体（１０）の支持ディスク（１４）と該支持ディスクに被せ嵌められた、ばね部材（１）の支持皿に結合されたディスクアタッチメント（２０）との間、又は支持ディスク（１４）とディスクアタッチメント（２０）との間に、中心孔（１５）若しくは中心ピン（２１）に対して同心的に配置された所定の数の調節開口（１６）及びこれらの調節開口に対応する少なくとも１つの調節ピン（２５）が設けられている、請求項５記載のばね部材。
【請求項７】
座面又は横臥面用ばね部材であって、担体に固定可能なフットプレートを有しており、該フットプレートに少なくとも２つの外向きのばねアームが支持されており、これらのばねアームの自由端部が支持皿と協働するようになっており、フットプレートと支持皿との間に弾性的な補助体が挿入されている形式のものにおいて、
弾性的な補助体が、ばね部材（１）内で該ばね部材の硬度を変えるための回転可能な支持体（３０）として形成されており、該支持体の、フットプレート（２）の内面に被せ嵌められた支持リング（３１）を備えたフット部分に少なくとも１対の支持ばね（３２）が取り付けられており、頂点（３２．１）においてばね部材（１）の中心軸線に向けられた端部アーム（３４）に移行する支持アーム（３３）が設けられており、前記端部アームの自由端部（３４．１）が支持リング（３５）で終わっており、前記支持ばね（３２）に調整ディスク（４０）が挿入されており、該調整ディスクが互いに対向位置するばねアーム（３）に固定されており、前記支持ばね（３２）に、調節リング（４１）を有する調節ディスク（４０）が、周面が支持ばね（３２）の外向きの頂点（３２．１）に位置するように挿入されており、調節リング（４１）に、円弧状に湾曲された調節条片（４４）が設けられており、これらの調節条片が、調節リング（４１）の表面から出発して最大高さに到るまで隆起し且つ支持ばね（３２）の支持アーム（３３）又は端部アーム（３４）を支持するようにこれらの支持アーム又は端部アームと協働して、ばね部材（１）の硬さに影響を与えることを特徴とする、ベッド用ばね部材。
【請求項８】
調節リング（４１）が、直径方向で向かい合って配置された対の付加部（４２）を有しており、これらの付加部の空隙がばねアーム（３）の幅に対応しており、１対の両付加部（４２）の間に、ばねアーム（３）に圧着するためのばね舌片（４３）が配置されている、請求項７記載のばね部材。
【請求項９】
支持体（１０；３０）が、該支持体（１０；３０）を調節するためのトグル（３７）を有しており、該トグルが、組立て後は支持皿（５）の中心開口（５．３）内に位置しており、この場合、ばね部材（１）に対する支持体（１０；３０）の調節を固定するための係止手段が設けられている、請求項７又は８記載のばね部材。
【請求項１０】
支持体（１０）の支持リング（１１）とばね部材（１）のフットプレート（２）との間、又は支持体（１０）の支持ディスク（１４）とばね部材（１）の支持皿（５）との間、又は支持体（１０）の支持ディスク（１４）と該支持ディスクに被せ嵌められた、ばね部材（１）の支持皿と結合されたディスクアタッチメント（２０）との間に係止手段が設けられている、請求項９記載のばね部材。
【請求項１１】
支持ディスク（１４）若しくは支持リング（３１）が係止手段として少なくとも１群の突起（３６）を有しており、支持皿（５）に環状溝（８）が設けられており、該環状溝の底部に前記突起（３６）と協働する歯（８．１）が設けられている、請求項１０記載のばね部材。
【請求項１２】
支持ディスク（１４）とディスクアタッチメント（２０）との間の係止手段として、中心孔（１５）若しくは中心ピン（２１）に対して同心的に配置された所定の数の調節開口（１６）及びこれらの調節開口に対応する少なくとも１つの調節ピン（２５）が設けられている、請求項１０又は１１記載のばね部材。
【請求項１３】
マットレスリフタ（５０）が設けられており、該マットレスリフタが背面リフタ（５３）を以て支持皿（５）の切欠き（６）を通ってガイドされており、前記背面リフタ（５３）がばねアームによって、マットレス負荷時には当該背面リフタ（５３）が押し下げられてマットレスが支持皿（５）に載着される一方で、マットレス非負荷時にはマットレスリフタ（５０）の背面リフタ（５３）がマットレスを支持皿（５）から持ち上げるように支持皿（５）に固定されており、背面リフタ（５３）及び支持皿（５）に設けられた切欠き（６）が円区分状に曲げられており、背面リフタ（５３）が遊びを以て前記切欠き（６）内で可動であり、背面リフタ（５３）の両端部が、支持皿（５）に固定された各１つの戻しばねアーム（５１）を有している、請求項１から１２までのいずれか１項記載のばね部材。
【請求項１４】
ばねアーム（３）と一緒に戻しばねアーム（５１）を固定するために、支持皿（５）の終端面（５．１）の角隅域に固定ピン（９）が配置されており、該固定ピンに、ばねアーム（３）の固定端部（３．２）とマットレスリフタ（５０）の固定アーム（５１）の両方を取り付ける、請求項１３記載のばね部材。
【請求項１５】
支持体（１０；３０）及び／又はディスクアタッチメント（２０）及び調節ディスク（４０）及び／又は背面リフタ（５３）を備えたマットレスリフタ（５０）及び該マットレスリフタの両端部に配置された戻しばねアーム（５１）が、それぞれプラスチック部品、殊にプラスチック射出成形部品として形成されている、請求項１から１４までのいずれか１項記載のばね部材。
【発明の詳細な説明】
【０００１】
【発明の属する技術分野】
本発明は、座面又は横臥面用ばね部材であって、担体に固定可能なフットプレートを有しており、該フットプレートに少なくとも２つの外向きのばねアームが支持されており、これらのばねアームの自由端部が支持皿と協働するようになっており、フットプレートと支持皿との間に弾性的な補助体が挿入されている形式のものに関する。
【０００２】
【従来の技術】
規則的なパターンで配置された多数のばね部材を備えた寝具部材は、例えばドイツ連邦共和国特許第９３１７１１４号明細書に基づき公知であり、この公知の寝具部材の場合、各ばね部材はプラスチック部品として形成されており且つフット部分とヘッドプレートとが設けられており、これらのフット部分とヘッドプレートとの間に弾性的なばね体が配置されている。各ばね部材は、それぞれフット部分又はフットプレートを以て列状で間隔をあけて担体に固定されている。ヘッドプレートは寝具部材の支持面を形成する。この場合、縁部及び角隅部のばね部材は別として、ばね部材は全体として座面又は横臥面をほぼ完全にカバーしている。負荷時にはこれらのばね部材が押しつぶされ、負荷軽減時にはばね部材自体が再びひとりでに復帰する。ばね特性を段階付けできるようにするため、又は比較的長時間使用した後或いは過剰負荷した後でも確実な再復帰を保証するためには、前掲のドイツ連邦共和国特許第９３１７１１４号明細書はばね部材内に配置された、内部支持体を提案している。このような支持体は、ばね特性を変えるために交換されるので、ばね特性の段階的な調節又は連続的な調節は不可能である。
【０００３】
【特許文献１】
ドイツ連邦共和国特許第９３１７１１４号明細書
【０００４】
【発明が解決しようとする課題】
本発明の課題は、前記ばね部材を改良して、硬さを少なくとも段階的に調節することができ、しかも、経済的な製作を保証しようとする点にある。
【０００５】
【課題を解決するための手段】
この課題を解決するために本発明では、弾性的な補助体が、ばね部材内で該ばね部材の硬度を変えるための回転可能な支持体として形成されており、該支持体の、フットプレートの内面に被せ嵌められた支持リングを備えたフット部分に、最高でもばね部材のばねアームの湾曲に、該ばねアームの設けられているとおりに適合された支持アームが取り付けられており、これらの支持アームが、各支持アームがそれぞれ１本のばねアームと整合するか又は互い違いになるようにもたらされ且つばね部材の硬さに影響を及ぼすために前記ばねアームと協働するように配置されているようにした。
【０００６】
更に本発明では、弾性的な補助体が、ばね部材内で該ばね部材の硬度を変えるための回転可能な支持体として形成されており、該支持体の、フットプレートの内面に被せ嵌められた支持リングを備えたフット部分に少なくとも１対の支持ばねが取り付けられており、頂点においてばね部材の中心軸線に向けられた端部アームに移行する支持アームが設けられており、前記端部アームの自由端部が支持リングで終わっており、前記支持ばねに調整ディスクが挿入されており、該調整ディスクが互いに対向位置するばねアームに固定されており、前記支持ばねに、調節リングを有する調節ディスクが、周面が支持ばねの外向きの頂点に位置するように挿入されており、調節リングに、円弧状に湾曲された調節条片が設けられており、これらの調節条片が、調節リングの表面から出発して最大高さに到るまで隆起し且つ支持ばねの支持アーム又は端部アームを支持するようにこれらの支持アーム又は端部アームと協働して、ばね部材の硬さに影響を与えるようにした。
【０００７】
有利な改良は、従属請求項に記載されている。
【０００８】
【発明の効果】
ばね部材に挿入される弾性的な支持体は支持リングを有しており、この支持リングを以て支持体はばね部材のフットプレートに支持されている。この場合、ばね部材のフットプレートに設けられた支持リングは自由に回転可能である。これにより、支持体はばね部材に対してあらゆる角度位置を占めることができる。この場合、支持リングのリング部材の開口は、ばね部材を担体に固定するための手段が切り欠かれているように設けられている。これにより、支持部材の補助体はプレハブ式でばね部材の製作時に挿入することができる。
【０００９】
前記支持リングには、板ばね状に形成されてＶ字形又はＵ字形で構成された外向きの支持アームが半径方向外向きの頂点を備えて取り付けられており、当該支持アームの自由端部は支持ディスクに接合されており、この支持ディスクは支持皿と協働して該支持皿を支持する。有利には、弾性的な支持体は少なくとも２本の支持アームを有している。
【００１０】
第１実施例では、支持アームの湾曲はばね部材のばねアームに対応している。これにより、ばね部材のスプリングの硬さは、ばね部材のばねアームに対する支持部材の支持アームの位置によって影響を及ぼされる。ばね部材のばねアームが支持アームと整合して位置する一方の極端位置では、支持アームはばね部材の負荷時に支持するようにばねアームに接触するので、ばねアームの弾性的な可撓性は低下され、従って、ばね部材の硬さは増大されている。これに対して、支持体が他方の極端位置に位置している場合は、支持体の支持アームはばね部材のばねアームに対して互い違いに位置しているので、支持するようにばねアームに接触してはいない。これにより、ばね部材の硬さの増大は行われないので、ばね部材は比較的小さな硬度を有することになる。この場合、ばね部材は前記支持体無しでも使用可能であり、その場合、ばね部材は本来の硬さを有しているということは自明である。更に、中間値が調節可能であるということも自明である。
【００１１】
有利な構成では、ディスクアタッチメントを取り付けるための支持ディスクが設けられており、前記ディスクアタッチメントはばね部材の支持皿と、例えば形状接続的な手段によって不動に結合されている。このようなディスクアタッチメントには、有利には突出したアームが設けられており、これらのアームは支持皿と作用結合している。このためには、突出した前記アーム及びこれらのアームに対応する支持皿の内側に面した部分は、ばね部材の支持皿に対するディスクアタッチメントの位置を協働して位置固定する突起及び凹所若しくは切欠きを有している。
【００１２】
第２実施例では、調節ディスクが支持体内に、支持アームのＵ字形又はＶ字形の構成の頂点に係合するように配置されている。調節ディスクの周面近くには各支持アームのための条片が設けられており、これらの条片は支持ディスク面から高さの増大を伴って隆起しており且つ「傾斜面」の形式で対応する区分と協働し、これらの区分がその標準位置と比べて持ち上がり、これにより、当該区分のばね硬さを変化させる。この場合、前記調節ディスクはばね部材の互いに対向位置する２本のばねアームと不動に結合されているので、支持体は調節ディスクに対して回転される。この場合、傾斜面として形成された前記条片は、支持ばねの端部アームを多少なりとも持ち上げて予負荷することによって、ばね硬さの調節機構として作用する。
【００１３】
有利には少なくとも前記の両極端位置が、支持ディスク及び支持皿が両極端位置を制限するストッパを有していることによって調節可能である。この構成において中間位置延いてはばね部材に対する支持体の別の角度位置を調節して位置固定できるようにするためには、ディスクアタッチメントが支持ディスクに対して回転され、この場合、支持挿入部材とばね部材とは、例えば突起及び対応する凹所又は切欠きの形の、係止式で協働する手段を有している。突起が前記のような凹所に係合すると、この位置は位置固定されており且つ突起が凹所から、構成部材を弾性変形させるある程度の力を以て取り出されることによってしか変えられない。これにより、ばね部材の硬度を、該ばね部材に対する支持体の回転によって最小値と最大値の間で変化させることが可能である。
【００１４】
有利には、前記突起は環状に配置されており、この場合、支持ディスク又は支持皿の内の一方に少なくとも１つの突起が設けられており、支持ディスク又は支持皿の内の他方は、少なくとも円区分状に配置されて調節域をカバーする多数の突起を有している。
【００１５】
別の有利な構成では、支持皿には背面通気改善のために、負荷されていないマットレスを持ち上げる手段が設けられている。このような手段自体は、ドイツ連邦共和国特許第２０００１６１６号明細書に基づき公知である。本発明の構成では、支持皿が環区分形の切欠きを有しており、これらの切欠きにマットレスリフタが挿入されている。これらのマットレスリフタには終端固定アームが設けられており、これらの終端固定アーム自体はばね部材のばねアームと一緒に支持皿に固定されている。マットレスリフタのこの挿入形式は、特に簡単な延いては経済的な製作を可能にする。
【００１６】
【発明の実施の形態】
以下に、本発明の実施の形態を図面につき詳しく説明する。
【００１７】
例えばドイツ連邦共和国特許第２９７２１６５５号明細書に基づき公知のばね部材１はフットプレート２を有しており、このフットプレート２を以てばね部材１は担体（図示せず）に載置され且つ支持されている。この担体は１枚のプレートか、又はすのこにおけるような等間隔で平行に延びる何枚かの床張板であってよい。ばね部材１のフットプレート２からは、まず最初に外側に向けられたばねアーム３が延びており、これらのばねアーム３はそれぞれ波形ばね部分３．１を備えており、この波形ばね部分３．１には固定端部３．２が一体成形されている。これらの固定端部３．２には支持皿５が被せ嵌められており、この支持皿５はフットプレート２に対してほぼ平行に向けられており且つ上に置かれるマットレス（詳しくは図示せず）の背面通気を可能にする複数の開口を有している。支持皿は有利には分割されており、中間部材５．２を介して互いに支持皿５を形成するように結合された終端面５．１を有している。
【００１８】
第１実施例では、ばね部材１内に支持体１０が配置されており、この支持体１０によってばね部材の硬度を調節することができる。この支持体１０は、支持リング１１を介してフットプレートに支持されている。支持リング１１の開口を介して、フットプレートの中央に設けられた固定部材に自由に接近可能である。支持リング１１からは支持アーム１２が外側に向かって延びており、これらの支持アーム１２はばねアーム３に、少なくとも外側に向けられたアーム部分の領域の湾曲を適合されている。支持アーム１２はほぼ半分の高さで中心に向かって折り曲げられて、端部アーム１３を形成する。この場合、これらの端部アーム１３の自由端部１３．１は、ばね部材１の中心軸線上に位置する支持ディスク１４に移行する。
【００１９】
ばね部材１の支持皿に対する接続を得るためには、ディスクアタッチメント２０が設けられている。このディスクアタッチメント２０を支持ディスク１４に取り付けるためには、該支持ディスク１４が中心孔１５を有しており、この中心孔１５にディスクアタッチメントの中心ピン２１が係合する。この中心ピン２１は有利にはスリットを有しているので、このスリットに基づき可能な予負荷を伴って支持ディスク１４に挿入可能である。
【００２０】
更に、前記ディスクアタッチメント２０は複数の突出したアーム２２を有しており、これらのアーム２２には終端ピン２３が設けられている。ばね部材１の終端面５．１と一緒に支持皿を形成する中間部材６には、前記ピン２３を収容する開口８が設けられている。これにより、このようにして挿入されたディスクアタッチメント２０が支持皿に対して固定されている一方で、支持体１０はディスクアタッチメント２０に対して自由に回転可能である。
【００２１】
ばね部材の硬度を変えるために、支持体１０をばね部材１に対して調節可能に回転できるようにするためには、支持ディスク１４に角張って構成された調節縁部１４．１が設けられている。支持ディスク１４及びディスクアタッチメント２０は、互いに面した側に互いに協働する係止手段を有しており、これらの係止手段は図４に、例えば支持ディスク１４の調節開口１６及びこれらの調節開口１６と協働する、ディスクアタッチメント２０の下面に設けられた調節ピン２５として示されているが、これらの係止手段に限定されるものではない。この場合、前記のような係止手段が択一的にばね部材のフットプレート２と支持リング１１との間に設けられていてもよいということは自明である。
【００２２】
更に、調節ピンとして形成された調節突起２５と調節開口１６との前記組合せにより、ばね部材１のフットプレート２上で且つディスクアタッチメント２０に対して自由に回転可能な支持体が調節可能に回転され得、これにより、支持体の支持アーム１２は一方の極端位置においてばね部材のばねアーム３と整合する一方で、当該支持アーム１２は他方の極端位置においてばね部材１のばねアーム３に対して互い違いに位置するようになり、更に中間位置も可能である。この場合、調節はばね部材１に対する支持体１０の回転によって行われ、「正しい」位置においてディスクアタッチメント２０の調節突起２５がそれぞれ支持体１０の支持ディスク１４の調節開口１６に係合して、当該位置をしっかりとマークする。
【００２３】
第２実施例では、前記のばね部材の構成とほぼ同じ構成のばね部材１に、該ばね部材１のばね硬さを調節することのできる支持体３０が配置されている。このためには、ばねアーム３によって形成されたばね体に第２実施例の支持体３０が挿入されている。この支持体３０は、その支持リング３１を以てばね部材１のフットプレート２に支持されている。前記支持リング３１から２つの支持ばね３２が出発しており、これらの支持ばね３２はほぼｖ字形に外側に向かって曲げられており、これにより、外向きの頂点３２．１を形成している。支持ばね３２の支持リング３１に面した部分は支持アーム３３を、支持皿５に面した部分は端部アーム３４を形成しており、この端部アーム３４の自由端部３４．１は支持リング３５に結合されており且つ該支持リング３５を支持している。
【００２４】
この支持リング３５に面して、内側の中心開口５．３を制限する支持リング８が位置している。図示の実施例では、支持リング３５は少なくともいくつかの領域に突起３６を有しており、これらの突起３６は支持リング８に設けられた歯８．１の歯溝と協働する。当該の支持リング３５には、有利には調節トグル３７が設けられている。この調節トグル３７により、支持体３０はばね部材１に対して簡単に相対回動可能なので、調節は上方から簡単に行うことができる。
【００２５】
支持体３０には、調節リング４１を有する調節ディスク４０が挿入されている。前記調節リング４１には、互いに向かい合って位置する２つのばねアーム３に対応するようにホルダ４２が配置されており、これらのホルダ４２は調節ディスク４０を回転しないように所定の位置で保持する。ばね舌片４３が支持アーム３３の方に押圧されて、保持のために働く。調節リング４１には調節条片４４が設けられており、この調節条片４４は調節リング面から生じて傾斜面状に、規定された高さに到るまで調節リング面にわたって上昇している。この調節条片は端部アーム３４の内側に接触しており且つこの端部アーム３４を支持しているので、調節条片４４の高さが高くなるにつれて付加的な硬さがばねシステムにもたらされて、ばね部材１のばね硬さが増大する。この場合、所望の調節は位置固定され続ける。なぜならば、突起３６が支持リング８の歯８．１と係止結合の意味で協働するからである。
【００２６】
マットレスリフタ５０を取り付けるために、支持皿５は円弧状の切欠き６を有しており、図面ではほぼ半円を成す２つの切欠き６が互いに向かい合って位置するように配置されている。支持皿５の外側に位置する環状部分を安定させるためには、これらの環状部分が保持ウェブ７を介して、支持リング８として形成された支持皿５の内側部分に結合されており、この場合、前記保持ウェブ７は、切欠き６内に位置する背面リフタ５３が保持ウェブ７によって下方から係合されているように案内されている。背面リフタ５３には、ばねアーム５１に移行するＵ字形の付加部を以てばねアーム５１が一体成形されている。これらのばねアーム５１の端部には開口５２が設けられている。これらの開口５２を介して、ばねアーム５１は支持皿５の終端面５．１の角隅域に配置された固定ピン９において固定可能である。有利には、ばね部材１のばねアーム３の終端面３．２も、同じ固定ピン９で固定される。
【図面の簡単な説明】
【図１】支持体を備えたばね部材の第１実施例の平面図であって、図１ａは、ばねアームと整合した支持アームを示しており、図１ｂはばねアームと互い違いの支持アームを示している。
【図２】図１に対応するばね部材を上から見た等尺図であって、図２ａはばねアームと整合した支持アームを示しており、図２ｂはばねアームと互い違いの支持アームを示している。
【図３】支持体の第１実施例を上から見た等尺図である。
【図４】ディスクアタッチメントを備えた支持体の第１実施例を示した図であって、図４ａは上から見た等尺図であり、図４ｂは下から見た等尺図である。
【図５】ディスクアタッチメントの第１実施例を示した図であって、図５ａは上から見た等尺図であり、図５ｂは下から見た等尺図である。
【図６】支持体を備えたばね部材の第２実施例を示した図であり、図６ａは上から見た等尺図であり、図６ｂは下から見た等尺図である。
【図７】支持体の第２実施例を示した図であり、図７ａは支持装着部全体の等尺図であり、図７ｂは支持体の等尺図であり、図７ｃは調節ディスクの等尺図である。
【図８】支持皿の第２実施例を下から見た図である。
【図９】マットレスリフタを備えたばね部材の第２実施例を示した図であって、図９ａは上からみた等尺図であり、図９ｂは下から見た等尺図である。
【図１０】マットレスリフタを備えたばね部材の第２実施例の分解図である。
【符号の説明】
１　ばね部材、　２　フットプレート、　３　ばねアーム、　３．２　固定端部、　５　支持皿、　５．１　終端面、　６　切欠き、　８　支持リング、　８．１　歯、　９　固定ピン、　１０，３０　支持体、　１１，３１　支持リング、　１２　支持アーム、　１３　端部アーム、　１４　支持ディスク、　１５　中心孔、　１６　調節開口、　２０　ディスクアタッチメント、　２１　中心ピン、　２２　アーム、　２５　調節ピン、　３２　支持ばね、　３３　支持アーム、　３５　支持リング、　３６　突起、　３７　調節トグル、　４０　調節ディスク、　４１　調節リング、　４４　調節条片、　５０　マットレスリフタ、
５３　背面リフタ
【図１】
2004065963.tif 000003
【図２】
2004065963.tif 000004
【図３】
2004065963.tif 000005
【図４】
2004065963.tif 000006
【図５】
2004065963.tif 000007
【図６】
2004065963.tif 000008
【図７】
2004065963.tif 000009
【図８】
2004065963.tif 000010
【図９】
2004065963.tif 000011
【図１０】
2004065963.tif 000012